(57)【要約】【課題】カウンター天板を設置した際にカウンター用支持具の固定部が目立たず意匠性に優れたカウンター用支持具及びこれを用いたカウンターを提供する。【解決手段】壁面１１に対して垂直に突出して設けられるカウンター天板２を下方から支持するカウンター用支持具３であって、前記壁面に固定される固定部５と、該固定部から水平に延出され前記カウンター天板の下面を支持する支持部４とからなり、前記支持部の前記壁面側の基部４０は、延出側（４１）より幅広に形成され、前記固定部は、前記支持部より短く形成されるとともに、前記支持部の前記基部と同幅に連なって形成されていることを特徴とする。【選択図】図１
2010115389.tif 000002
【特許請求の範囲】
【請求項１】
壁面に対して垂直に突出して設けられるカウンター天板を下方から支持するカウンター用支持具であって、
前記壁面に固定される固定部と、該固定部から水平に延出され前記カウンター天板の下面を支持する支持部とからなり、
前記支持部の前記壁面側の基部は、延出側より幅広に形成され、
前記固定部は、前記支持部より短く形成されるとともに、前記支持部の前記基部と同幅に連なって形成されていることを特徴とするカウンター用支持具。
【請求項２】
請求項１において、
前記固定部と前記支持部との入隅側には、斜めに掛け渡されて取付けられる補強用斜材が設けられており、
前記斜材は帯状板体からなり、前記斜材の幅方向が縦向きになるよう設けられていることを特徴とするカウンター用支持具。
【請求項３】
請求項１又は請求項２において、
前記固定部と前記支持部との角部には、前記入隅側に突出した補強リブが形成されていることを特徴とするカウンター用支持具。
【請求項４】
請求項１〜請求項３のいずれか１項に記載のカウンター用支持具と、該カウンター用支持具によって支持されるカウンター天板とを備えたカウンターであって、
前記カウンター用支持具は所定の間隔で複数設けられ、
前記カウンター用支持具間には、引出し部が抜き差し自在に構成されることを特徴とするカウンター。
【発明の詳細な説明】
【技術分野】
【０００１】
本発明は、壁面に対して垂直に突出して設けられるカウンター天板を下方から支持するカウンター用支持具及びこれを用いたカウンターに関する。
【背景技術】
【０００２】
従来より、この種のものとしては、壁面に固定される固定部（下記特許文献１においては取付け片１２、下記特許文献２においては基板壁２）が固定部から水平に延出されカウンター天板の下面を支持する支持部（下記特許文献においては棚受片１１、下記特許文献２においては基板壁３）とほぼ同じ長さで且つ同幅に連なって形成されたものが知られている。
また下記特許文献３にはカウンターを支持する支持ブラケットの取付プレートが壁面の下地枠材に固着され、該取付プレートは壁面を構成する壁仕上げ材により覆われて、壁に取り付けられているものが開示されている。
【特許文献１】特開平０９−３１３２８０号公報
【特許文献２】特開２００３−２３２０８４号公報
【特許文献３】特開２００３−１８０４７０号公報
【発明の開示】
【発明が解決しようとする課題】
【０００３】
このようなカウンター用支持具は、カウンター天板を設置した状態で、目立ってしまうことなくカウンターまわりをすっきりと構成でき、高荷重に耐えられるものが望ましい。また支持部が受けるカウンター天板の荷重によって固定部が壁面にめり込まないよう設計されたものが求められている。
上記特許文献１及び上記特許文献２に記載のものは、カウンター天板を設置した状態で斜め上方から見ると、固定部の下端部が見えて目立ってしまうため、カウンター天板の前面を幕板などで覆わなければ見栄えが悪い点が問題となる。
そこで上記特許文献３に記載のように固定部に相当する取付プレートを壁面の下地枠材に固着して壁仕上げ材で覆ってしまうことが考えられる。しかし、この場合はカウンター用支持具の部品点数が増えてしまい、施工も容易とはいえない。またこれは壁仕上げ材で覆った後に壁面にカウンター用支持具を用いてカウンター天板を後付けすることができない。
【０００４】
本発明は、上記実情に鑑みなされたものであり、カウンター天板を設置した際にカウンター用支持具の固定部が目立たず意匠性に優れたカウンター用支持具及びこれを用いたカウンターを提供する。
【課題を解決するための手段】
【０００５】
前記課題を解決するために、本発明に係るカウンター用支持具は、壁面に対して垂直に突出して設けられるカウンター天板を下方から支持するものであって、前記壁面に固定される固定部と、該固定部から水平に延出され前記カウンター天板の下面を支持する支持部とからなり、前記支持部の前記壁面側の基部は、延出側より幅広に形成され、前記固定部は、前記支持部より短く形成されるとともに、前記支持部の前記基部と同幅に連なって形成されていることを特徴とする。
【０００６】
本発明において、前記固定部と前記支持部との入隅側には、斜めに掛け渡されて取付けられる補強用斜材が設けられており、前記斜材は帯状板体からなり、前記斜材の幅方向が縦向きになるよう設けられているものとしてもよい。
これによれば、斜材の幅方向が縦向きになるように設けられているので、垂直荷重強度に有利になる。また後記するように引出し部を設けた場合は、斜材が帯状板体からなり、幅方向が縦向きになるよう設けられているので、引出し部の邪魔になることがなく、引出し部の収容面積を大きくとることも可能となる。
【０００７】
また本発明において、前記固定部と前記支持部との角部には、前記入隅側に突出した補強リブが形成されているものとしてもよい。
これによれば、カウンター天板に重いものをおいてもカウンター用支持具が破損することなく、耐荷重性に優れたものとすることができる。
【０００８】
更に上述のカウンター用支持具と、該カウンター用支持具によって支持されるカウンター天板とを備えたカウンターとし、前記カウンター用支持具は所定の間隔で複数設けられ、前記カウンター用支持具間には、引出し部が抜き差し自在に構成されることを特徴とするカウンターとすることができる。
このように引出し部が設けられたカウンターとすれば、一層固定部が露出する部分が少なく、すっきりと構成でき見栄えのよいものとすることができる。
【発明の効果】
【０００９】
本発明に係るカウンター用支持具によれば、固定部が支持部より短く形成されているので、カウンター天板を設置すれば固定部の露出部分が少なくなりカウンターまわりをすっきり構成することができ、カウンターの意匠性が向上する。
固定部及び支持部の基部が同幅且つ幅広に形成されているので、壁面にかかる荷重が分散され、壁面へのめり込みを防ぎ、カウンター天板を安定して支持することができ高荷重に耐えられる。特に本棚或いはデスクとして用いられるようなサイズ及び荷重の大きいカウンターを支持する場合でも、カウンター用支持具の固定部が幅広の基部と同幅に連なって形成されているので、幅広に形成された面で荷重を受けることができる。よってカウンター天板を片持ち支持することも可能である。
また下地桟が配されていれば壁面にカウンターを容易に後付けすることができる。
【発明を実施するための最良の形態】
【００１０】
以下に、本発明の実施の形態について、図面を参照しながら説明する。
図１は本発明に係るカウンター用支持具とこれを用いたカウンターを示す斜視図、図２（ａ）は同カウンター用支持具の平面図、図２（ｂ）は同カウンター用支持具の右側面図、図２（ｃ）は同カウンター用支持具の正面図、図３（ａ）は同カウンター用支持具間に引出し部を構成した場合のカウンターを示す平面図、図３（ｂ）は同カウンターの正面図、図４は同カウンターの右側面図である。
【００１１】
まずは図１、図２を参照しながら本発明に係るカウンター用支持具３及びこれを用いたカウンター１について説明する。
カウンター用支持具３は、壁面１１に対して垂直に突出して設けられるカウンター天板２を下方から支持するものであって、カウンター用支持具３とカウンター天板２とによって、壁面１１にカウンター１を設けることができる。
カウンター１は飾り棚或いはカウンターデスク、ダイニングカウンター、ベンチなどとして用いることができ、カウンター用支持具３はスチール材などからなり、カウンター天板２は木質板材（集成材など）などからなる。カウンター支持具３は、側面視して略逆Ｌ字形状に折曲形成されており、壁面１１にねじ７によって固定される固定部５と、該固定部５から水平に延出されカウンター天板２の下面を支持する支持部４とを備えている。
【００１２】
カウンター用支持具３の支持部４の長手方向の長さはカウンター天板２の幅方向の長さに合わせて形成され、図１に示すようにカウンター天板２の幅方向より若干内方で留まる長さとすれば、支持部４がカウンター天板２から突出することがなく、カウンター天板２を設置すれば支持部４が上方から見えないので、見栄えがよい。
支持部４は固定部５から水平に延出され、壁面１１側に配置される基部４０と、延出側に配置される延出部４１とを備えている。基部４０は、延出部４１側より幅広に形成されており、支持部４の４隅には４つのねじ挿通孔４ａが形成されている。延出部４１の幅寸法が例えば５０ｍｍ〜７０ｍｍとした場合は、基部４０の幅寸法は７０ｍｍ〜９０ｍｍ程度、幅方向に広がるように形成される。基部４０及び延出部４１の形状は図例に限定されず、基部４０に向かってテーパー状に次第に幅広になっていくような形状としてもよい。
ねじ挿通孔４ａにはカウンター固定用ねじ８が挿入され、カウンター天板２と支持部４とが強固に固着状態となる。図１では説明のため、カウンター固定用ねじ８を２つ示しているが、カウンター天板２は、その下方から上方に向かって４つのカウンター固定用ねじ８でねじ止めされる。
なお、上述の基部４０及び延出部４１の幅寸法は上述の寸法に限定されるものではなく、ねじ挿通孔４ａの形成位置、数も図例に限定されるものではない。
【００１３】
固定部５は、支持部４より短く形成されるとともに、支持部４の延出部４１より幅広に形成された基部４０と同幅に連なって形成されている。また固定部５には６つのねじ挿通孔５ａが形成されており、固定部用ねじ７が挿入され壁面１１に強固に固着状態となる。
固定部５の形状は、基部４０と同幅に連なって形成されていれば特に限定されるものではなく、図１、図２に示すように下端部に向かって緩やかな角度で先細となる台形形状としてもよい。
支持部４の長手方向の長さは固定部５の長手方向の長さの２〜３．５倍程度とされ、例えば支持部４の長手方向の長さが１５０ｍｍであれば、固定部５の長手方向の長さは５０ｍｍ、支持部４の長手方向の長さが３５０ｍｍであれば、固定部５の長手方向の長さは１００ｍｍでよい。支持部４の長手方向の長さが３００〜３５０ｍｍと長いものの場合、カウンター天板２のサイズも大きくなるため耐荷重性が求められるが、カウンター用支持具３の固定部５が基部４０と同幅に連なって形成されているので、上述のように固定部５の長手方向の長さが短くても、幅広に形成された面で荷重を受けることができる。よって、固定部５が壁面１１へめり込むことなく、カウンター天板２を安定して支持することができ高荷重に耐えられるものとすることができるのである。
またこのように固定部５が支持部４より少なくとも半分以下の長さに短く形成されるので、図１に示すようにカウンター天板２を設置すれば、固定部５の下端部が見えにくくなり、カウンター１まわりをすっきりと構成することができ、カウンター１の意匠性が向上する。
なお、上述の固定部５の幅寸法は上述の寸法に限定されるものではなく、ねじ挿通孔５ａの形成位置、数も図例に限定されるものではない。
【００１４】
固定部５と支持部４との入隅Ａ側（図２（ｂ）参照）には、斜めに掛け渡されて取付けられ、固定部５及び支持部４と同じ素材からなる補強用斜材６が設けられている。斜材６は厚みが４ｍｍ〜５ｍｍ程度の帯状板体からなり、斜材６の幅方向が縦向きになるよう設けられている。
また固定部５と支持部４との角部には、入隅Ａ側に突出した補強リブ９が形成されている。
このように斜材６の幅方向が床面に対して縦向きになるように設けられているので、垂直荷重強度に有利になる。また固定部５と支持部４との角部には、入隅Ａ側に突出した補強リブ９が形成されているので、カウンター天板２上に重いものをおいてもカウンター用支持具３が破損することなく、耐荷重性に優れたものとすることができる。
【００１５】
続いて図１を参照しながらカウンター１の取付手順について説明する。
まずはカウンター１の取付け位置を決める。取付け後のがたつきを防ぐため、カウンター用支持具３の固定位置に壁面１１の下地桟があるか確認し、ない場合は柱、間柱、桟木、壁仕上げ材を組み立ててなる下地桟を取付ける。
カウンター天板２の裏面に支持部４のねじ挿通孔４ａを通じてカウンター固定用ねじ８がねじ込まれる位置に下穴を開けておく。また壁面１１にも、固定部５のねじ挿通孔５ａを通じて固定部用ねじ７がねじ込まれる位置に下穴を開けておく。
支持部４をカウンター天板２の所定位置にカウンター固定用ねじ８で固着し、壁面１１の所定位置に固定部５を固定部用ねじ７によって固着することにより、壁面１１にカウンター１を設けることができる。
なお、カウンター１の取付け手順は上述の手順に限定されるものではなく、壁面１１に固定部５を固着した後に、カウンター天板２と支持部４を固着する手順としてもよい。またここではひとつのカウンター用支持具３を取付ける手順について述べたが、このカウンター用支持具３はカウンター天板２の長手方向のサイズやカウンター１の用途（例えば、飾り棚として用いられるのか、本棚やデスクとして用いられるのか、ベンチとして用いられるのかなど）によって、求められる荷重に応えるため、壁面１１に取付けられる個数や取付間隔が異なるものである。
【００１６】
次に図３、図４を参照しながら本発明に係るカウンター用支持具３及び引出し部１０を備えたカウンター１について説明する。上述の例と共通する部分には共通の符号を付しその説明は省略する。
ここに示すカウンター１は、カウンター天板２の直下に二つの引出し部１０を備えており、カウンター用支持具３は引出し部１０が引き差し自在に構成されるよう所定の間隔で３つ設けられている。引出し部１０は、前方を塞ぐとともに取っ手となる前板１０ａと、上方が開口した箱型の引出し本体部１０ｂとを備えている。引出し本体部１０ｂの両側部には後記する引出し固定枠１２の凸レール（不図示）と係合する凹レール（不図示）が形成されている。
図中１２は引出し部１０を固定するとともに、凹レールと係合して引出し部１０を抜き差し自在に構成する凸レール（不図示）を備えた引出し固定枠である。引出し固定枠１２はカウンター天板２の裏面に固定用ねじ（不図示）で固着される。
引出し固定枠１２に引出し部１０をはめ込むことにより、引出し部１０が横方向に前後にスライドして引出し本体部１０ｂに物を収容したり、収容したものを取り出したりすることができる。
【００１７】
カウンター用支持具３のカウンター天板２及び壁面１１への固着方法は上述と同様である。
このように引出し部１０が設けられたカウンター１とすれば、一層固定部５が露出する部分が少なくなり（図３（ｂ）参照）、幕板を設置しなくてもすっきりと構成でき、見栄えのよいものとすることができる。
また斜材６が帯状板体からなり、固定部５及び支持部４に対して幅方向が縦向きになるように設けられているので、引出し部１０の邪魔になることがなく、引出し部１０の収容面積を大きくとることができる。
なお、引出し部１０の構成及び形状は図例に限定されるものではなく、例えば引出し部１０の前板１０ａは、固定部５が隠れるように設けられるものとしてもよい。またカウンター１を構成する引出し部１０の数、カウンター用支持具３の数も図例に限定されるものではない。
【図面の簡単な説明】
【００１８】
【図１】本発明に係るカウンター用支持具とこれを用いたカウンターを示す斜視図である。
【図２】（ａ）は同カウンター用支持具の平面図、（ｂ）は同カウンター用支持具の右側面図、（ｃ）は同カウンター用支持具の正面図である。
【図３】（ａ）は同カウンター用支持具間に引出し部を構成した場合のカウンターを示す平面図、（ｂ）は同カウンターの正面図である。
【図４】同カウンターの右側面図である。
【符号の説明】
【００１９】
１      カウンター
２      カウンター天板
３      カウンター用支持具
４      支持部
４０      基部
４１      延出部
５      固定部
６      斜材
９      補強リブ
１０      引出し部
１１      壁面
【図１】
2010115389.tif 000003
【図２】
2010115389.tif 000004
【図３】
2010115389.tif 000005
【図４】
2010115389.tif 000006